(57)【要約】【課題】外観品質を低下させずに、エアバッグの展開性能を確保しつつ装飾部材の大型化に対応する。【解決手段】エアバッグ装置用カバー３０は、エアバッグを乗員側から覆うカバー本体部３２と、溶着ピン５４によりカバー本体部３２に乗員側から固定される装飾部材５０とを備える。ティアライン３４をカバー本体部３２にのみ設けて、同カバー本体部３２を複数（２つ）の領域３７，３８に仕切る。エアバッグの膨張圧によりカバー本体部３２をティアライン３４に沿って破断させることにより、領域３７，３８に対応した複数の扉部４１，４２を形成させる。ティアライン３４のカバー本体部３２における位置を、正面視で装飾部材５０と重なる箇所に設定する。さらに、溶着ピン５４による装飾部材５０のカバー本体部３２に対する固定を、正面視で装飾部材５０と重なる領域３７，３８のうちの１つ（領域３７）に対してのみ行う。【選択図】図６
2011105059.tif 000002
【特許請求の範囲】
【請求項１】
エアバッグ装置のエアバッグを乗員側から覆うカバー本体部と、固定部により前記カバー本体部に乗員側から固定される装飾部材とを備え、前記エアバッグの膨張圧が作用することにより破断されるティアラインが設けられたエアバッグ装置用カバーであって、
前記ティアラインは、前記カバー本体部にのみ設けられて同カバー本体部を複数の領域に仕切り、前記エアバッグの膨張圧により破断されて、前記領域に対応した複数の扉部を形成するものであり、
前記ティアラインの前記カバー本体部における位置が、正面視で前記装飾部材と重なる箇所に設定され、
さらに、前記固定部による前記装飾部材の前記カバー本体部に対する固定は、正面視で同装飾部材と重なる領域のうちの１つに対してのみ行われていることを特徴とするエアバッグ装置用カバー。
【請求項２】
前記カバー本体部において、正面視で前記装飾部材と重なる領域のうち前記装飾部材が固定される領域とは異なる領域の少なくとも１つには被係合部が設けられる一方、
前記装飾部材において、前記被係合部に対応する箇所には、前記ティアラインの破断前には前記被係合部に係合され、かつ前記ティアラインが破断されて前記扉部が開くときには前記被係合部から外れる係合部が設けられている請求項１に記載のエアバッグ装置用カバー。
【請求項３】
前記被係合部は前記カバー本体部に設けられた孔部により構成され、
前記係合部は、前記装飾部材から突出する突起により構成されるものである請求項２に記載のエアバッグ装置用カバー。
【請求項４】
前記カバー本体部には、その乗員側の一般面から前方へ凹んだ段差凹部が設けられ、
前記段差凹部には、前記装飾部材が、その外側面を同段差凹部の内側壁に接近させられた状態で配置されており、
前記孔部は前記段差凹部の前記内側壁に設けられ、前記突起は前記装飾部材の前記外側面に設けられている請求項３に記載のエアバッグ装置用カバー。
【発明の詳細な説明】
【技術分野】
【０００１】
本発明は、車両等の乗り物に衝撃が加わった場合にエアバッグによって乗員を保護するエアバッグ装置を覆うカバーに関し、より詳しくは、エアバッグにより破断されるティアライン（破断予定部）とエンブレム等の装飾部材とが設けられたエアバッグ装置用カバーに関するものである。
【背景技術】
【０００２】
車両等の乗り物では、前突等により前方から衝撃が加わった場合に、その衝撃から運転者を保護する必要があることから、操舵装置の一部を構成するステアリングホイールとして、その中央部分にエアバッグ装置を組込んだものが採用されている。
【０００３】
また、このエアバッグ装置用のカバーが種々提案されている。このエアバッグ装置用カバーは、エアバッグ装置のエアバッグを運転者側から覆うカバー本体部と、固定部によりカバー本体部に運転者側から固定される樹脂製の装飾部材とを備えている。装飾部材は、ステアリングホイールの意匠性向上を目的として用いられている。
【０００４】
カバー本体部には、同カバー本体部を複数の領域に仕切り、エアバッグの膨張圧により破断されて、前記領域に対応した複数の扉部を形成するティアライン（破断予定部）が設けられている。このティアラインは、通常、カバー本体部の反運転者側に設けられた溝によって構成される。この溝により、ティアラインではカバー本体部が他の箇所よりも薄肉状となり、破断されやすくなる。
【０００５】
上記エアバッグ装置用カバーでは、ティアラインは、カバー本体部において正面視で（運転者側から見た状態で）、装飾部材と重ならない箇所に設けられている。具体的には、ティアラインは装飾部材の周りを迂回させられている。これは、ティアラインが、カバー本体部において正面視で装飾部材と重なる箇所に設けられると、エアバッグの膨張圧がティアラインだけでなく装飾部材に加わった場合、同装飾部材がティアラインに沿って破断するとは限らず、すなわち破断箇所が安定せず、エアバッグを意図した態様で膨張展開させることが難しいからである。
【０００６】
ティアラインを装飾部材と重ならない箇所に設けると、装飾部材の破断がなくなるため、上記の不具合を解消できる。反面、意匠性向上等のために装飾部材を大型化したいという要望があった場合、その要望に応えることが難しい。
【０００７】
そこで、例えば、特許文献１及び特許文献２に記載されたエアバッグ装置用カバーでは、ティアラインを、カバー本体部において正面視で装飾部材と重なる箇所に設けるとともに、装飾部材側にもティアラインを設けている。装飾部材側のティアラインを、カバー本体部のティアラインと対応する箇所に設けることで、エアバッグの膨張時に、装飾部材をカバー本体部の扉部に対応する箇所で破断させるようにしている。
【先行技術文献】
【特許文献】
【０００８】
【特許文献１】実開平１−１２３５６３号公報
【特許文献２】特開２００１−１６３１５６号公報
【発明の概要】
【発明が解決しようとする課題】
【０００９】
ところが、上述した特許文献１及び特許文献２に記載されたエアバッグ装置用カバーでは、たしかに装飾部材の大型化と、エアバッグの展開性能確保とを両立できるものの、外観品質（意匠性）の低下という新たな問題が生ずる。
【００１０】
すなわち、ティアライン形成のために溝を装飾部材に設けると、そのティアラインでは、装飾部材の肉厚が変化することとなり、樹脂成形後の収縮差に起因して装飾部材の運転者側の表面に「ひけ」と呼ばれる凹み（窪み）が生ずるおそれがある。このひけにより装飾部材の外観が損なわれる。特に、表面にメッキが施された装飾部材の場合には、このひけが一層目立つ。メッキにより装飾部材の表面が鏡面となり、その鏡面に写された像がひけにより歪むからである。また、ティアラインの端末部が装飾部材の外側面で開口することとなるため、これが運転者側から見えて装飾部材の外観が損なわれる。
【００１１】
本発明は、このような実情に鑑みてなされたものであって、その目的は、外観品質を低下させずに、エアバッグの展開性能を確保しつつ装飾部材の大型化に対応することができるエアバッグ装置用カバーを提供することにある。
【課題を解決するための手段】
【００１２】
上記の目的を達成するために、請求項１に記載の発明は、エアバッグ装置のエアバッグを乗員側から覆うカバー本体部と、固定部により前記カバー本体部に乗員側から固定される装飾部材とを備え、前記エアバッグの膨張圧が作用することにより破断されるティアラインが設けられたエアバッグ装置用カバーであって、前記ティアラインは、前記カバー本体部にのみ設けられて同カバー本体部を複数の領域に仕切り、前記エアバッグの膨張圧により破断されて、前記領域に対応した複数の扉部を形成するものであり、前記ティアラインの前記カバー本体部における位置が、正面視で前記装飾部材と重なる箇所に設定され、さらに、前記固定部による前記装飾部材の前記カバー本体部に対する固定は、正面視で同装飾部材と重なる領域のうちの１つに対してのみ行われていることを要旨とする。
【００１３】
上記の構成によれば、乗り物に衝撃が加わらない通常時には、エアバッグは膨張せず、カバー本体部によって乗員側から覆われている。また、装飾部材が、ティアラインによって仕切られた複数の領域のうち２つ以上の領域に跨ってカバー本体部に配置されていて、エアバッグ装置用カバーの意匠性を高めている。装飾部材の上記配置により、ティアラインが正面視で装飾部材と重なっている。このため、装飾部材を正面視でティアラインに重ならせない場合には、ティアラインとの関係で使用できる装飾部材の大きさが大きく制約を受けるが、請求項１に記載の発明では、使用できる装飾部材の大きさが制約を受けにくくなる。正面視でティアラインに重ならせない場合に使用できなかった大きな装飾部材であっても、使用が可能となる。
【００１４】
また、ティアラインはカバー本体部にのみ設けられていて、装飾部材には設けられていない。そのため、ティアラインに起因する「ひけ」が装飾部材の表面に生ずるおそれがない。また、ティアラインの端末部が装飾部材の外側面で開口することがなく、この開口部分が乗員側から見えることもない。
【００１５】
乗り物に対し衝撃が加わり、その衝撃に応じてエアバッグが膨張展開すると、エアバッグの膨張圧がエアバッグ装置用カバーに作用する。この膨張圧により、ティアラインに沿ってカバー本体部が破断され、同カバー本体部には、上記領域に対応した複数の扉部が形成される。各扉部は、カバー本体部との接続部分を支点（ヒンジ）として開く。この際、装飾部材は、カバー本体部において、同装飾部材と重なる複数の領域のうちの１つに対してのみ固定されていて、他の領域には固定されていない。そのため、装飾部材が固定された領域に対応する扉部は、その装飾部材を伴って開く。表現を変えると、装飾部材は、上記のように開く扉部の１つに追従して移動する。装飾部材が複数の領域にわたって固定されている場合には、エアバッグの高い膨張圧が加わることで装飾部材が破断されるが、装飾部材が１つの領域に対してのみ固定されている請求項１に記載の発明では、高い膨張圧が加わって装飾部材が破断する現象が起こりにくい。従って、複数の扉部を常に同様にして開かせて、それらの扉部の間に開口を生じさせ、この開口を通じてエアバッグを意図した態様で膨張展開させることが可能となる。
【００１６】
請求項２に記載の発明は、請求項１に記載の発明において、前記カバー本体部において、正面視で前記装飾部材と重なる領域のうち前記装飾部材が固定される領域とは異なる領域の少なくとも１つには被係合部が設けられる一方、前記装飾部材において、前記被係合部に対応する箇所には、前記ティアラインの破断前には前記被係合部に係合され、かつ前記ティアラインが破断されて前記扉部が開くときには前記被係合部から外れる係合部が設けられていることを要旨とする。
【００１７】
上記の構成によれば、ティアラインが破断される前、すなわちエアバッグの非膨張時には、装飾部材の係合部がカバー本体部の被係合部に係合している。この係合により、装飾部材において、被係合部の設けられた領域に対応する箇所がカバー本体部に係止されている。このため、装飾部材の上記箇所はカバー本体部との固定箇所から遠ざかっているが、同カバー本体部に接近又は当接した状態に保持され、余程大きな力が加わらない限り、カバー本体部から浮き上がることが起こりにくい。
【００１８】
これに対し、エアバッグが膨張展開すると、上述したようにティアラインに沿ってカバー本体部が破断され、カバー本体部に複数の扉部が形成される。この段階では、装飾部材の係合部はカバー本体部の被係合部に係合し続ける。装飾部材の固定された扉部が、その装飾部材を伴って開く。表現を変えると、装飾部材（係合部を含む）が、上記のように開く扉部に追従して移動する。この移動の途中で、装飾部材の係合部がカバー本体部の被係合部から外れる。従って、扉部の開放時に係合部が被係合部に係合し続けると、その扉部の開放の妨げとなるが、請求項２に記載の発明では、そのような現象が起こらず、扉部は予定したとおりにスムーズに開く。
【００１９】
上記係合部及び被係合部としては、例えば請求項３に記載の発明の構成を採用することができる。すなわち、請求項３に記載の発明は、請求項２に記載の発明において、前記被係合部は前記カバー本体部に設けられた孔部により構成され、前記係合部は、前記装飾部材から突出する突起により構成されるものであることを要旨とする。
【００２０】
上記の構成によれば、装飾部材の突起がカバー本体部の孔部に入り込むことにより、係合部の被係合部との係合がなされ、装飾部材において、被係合部に対応する箇所がカバー本体部に係止される。このときには、突起において孔部内に入り込んだ部分は、カバー本体部によって覆われた状態となり、乗員側からは見えにくい。そのため、突起を設けたことが原因で、エアバッグ装置用カバーの外観が低下することが起こりにくい。
【００２１】
また、上記突起が孔部から抜け出ることにより、係合部が被係合部から外れ、装飾部材のカバー本体部との上記係止が解除される。
上記突起及び孔部としては、例えば請求項４に記載の発明の構成を採用することができる。すなわち、請求項４に記載の発明は、請求項３に記載の発明において、前記カバー本体部には、その乗員側の一般面から前方へ凹んだ段差凹部が設けられ、前記段差凹部には、前記装飾部材が、その外側面を同段差凹部の内側壁に接近させられた状態で配置されており、前記孔部は前記段差凹部の前記内側壁に設けられ、前記突起は前記装飾部材の前記外側面に設けられていることを要旨とする。
【００２２】
上記の構成によれば、ティアラインが破断される前、すなわちエアバッグの非膨張時には、段差凹部に配置された装飾部材の外側面がその段差凹部の内側壁に接近している。段差凹部の内側壁と装飾部材の外側面との間の隙間は僅かである。そのため、乗員側からは、装飾部材の外側面から突出している突起のうち、段差凹部の内側壁の孔部に入り込んでいない部分も見えにくい。
【発明の効果】
【００２３】
本発明のエアバッグ装置用カバーによれば、外観品質を低下させずに、エアバッグの展開性能を確保しつつ装飾部材の大型化に対応することができる。
【図面の簡単な説明】
【００２４】
【図１】本発明のエアバッグ装置用カバーが適用されたステアリングホイールを示す正面図。
【図２】図１のステアリングホイールを右側方から見た状態を示す側面図。
【図３】図１のＸ−Ｘ線に沿ったステアリングホイールの断面構造を拡大して示す断面図。
【図４】図１におけるエアバッグ装置用カバーを拡大して示す正面図。
【図５】（Ａ）は図３のＹ部を拡大して示す部分断面図、（Ｂ）は同（Ａ）の段差凹部に装飾部材を固定する前の状態を示す部分断面図。
【図６】図４のＺ部を拡大して示す正面図。
【図７】ティアラインに沿ってカバー本体部が破断されて、図３の上下両扉部がエアバッグの膨張圧によって開かれる様子を二点鎖線で示す部分拡大断面図。
【発明を実施するための形態】
【００２５】
以下、本発明のエアバッグ装置用カバーを、車両に搭載されるエアバッグ装置付きステアリングホイールに適用した一実施形態について、図面を参照して説明する。
図１及び図２の少なくとも一方に示すように、車両の運転席よりも前方（図２の右方）には、回転軸線Ｌを中心として回転するステアリングシャフト（操舵軸）１１が、運転席側（図２の左側）ほど高くなるように傾斜した状態で配設されている。ステアリングシャフト１１の後端部には、本実施形態のステアリングホイール１２が一体回転可能に取付けられている。ステアリングホイール１２は、リム部（ハンドル部、リング部と呼ばれることもある）１３、パッド部１４及びスポーク部１５を備えている。リム部１３は、運転者によって把持されて操舵される部材であり、上記ステアリングシャフト１１を中心とした略円環状をなしている（図１参照）。ステアリングシャフト１１が上記のように傾斜していることから、リム部１３もまた下側ほど運転席に近づくように傾斜している（図２参照）。
【００２６】
パッド部１４は、リム部１３によって囲まれた空間に配置されている。パッド部１４の前側部分はロアカバー１６によって構成されている（図２参照）。スポーク部１５は、リム部１３及びパッド部１４を連結するものであり、複数本（ここでは４本）設けられている。
【００２７】
なお、本実施形態では、ステアリングホイール１２の各部について説明する際には、ステアリングシャフト１１の回転軸線Ｌを基準とする。この回転軸線Ｌに沿う方向をステアリングホイール１２の「前後方向」といい、回転軸線Ｌに直交する面に沿う方向のうち、ステアリングホイール１２の起立する方向を「上下方向」というものとする。従って、ステアリングホイール１２の前後方向及び上下方向は、車両の前後方向（水平方向）及び上下方向（鉛直方向）に対し若干傾いていることとなる。
【００２８】
また、リム部１３における周方向の位置を特定するために、本実施形態では、車両が直進しているときの状態、すなわち中立状態を基準に、「上」、「下」、「左」、「右」を規定するものとする。
【００２９】
図３に示すように、上記パッド部１４の内部には、前突等の衝撃から運転者（乗員）をエアバッグ２２によって保護するようにしたエアバッグ装置２０が配設されている。エアバッグ装置２０は、バッグホルダ２１と、このバッグホルダ２１に対しそれぞれ組付けられたエアバッグ２２及びインフレータ２３とを備えている。
【００３０】
インフレータ２３は前後方向に高さの低い円柱状をなしており、その内部には、膨張用ガスを発生するガス発生剤（図示略）が収容されている。インフレータ２３は、その外周面から突出するフランジ部２４において、バッグホルダ２１に締結されている。なお、インフレータ２３としては、上記ガス発生剤を用いたタイプに代えて、高圧ガスの充填された高圧ガスボンベの隔壁を火薬等によって破断して膨張用ガスを噴出させるタイプが用いられてもよい。
【００３１】
エアバッグ２２は可撓性を有する布帛等からなり、折り畳まれた状態でインフレータ２３の後側に配置されている。エアバッグ２２は、自身の前端に開口を有しており、その開口の周縁部に配置されたリングプレート２５によって、インフレータ２３とともにバッグホルダ２１に共締めされている。
【００３２】
図１、図３及び図４の少なくとも１つに示すように、エアバッグ装置２０はエアバッグ装置用カバー３０によって覆われている。エアバッグ装置用カバー３０は、折り畳まれた状態の上記エアバッグ２２を取り囲み、かつ上記バッグホルダ２１に係止された筒状壁部３１と、その筒状壁部３１を後ろ側（運転者）側から塞ぐことにより、エアバッグ２２を後ろ側から覆うカバー本体部３２と、カバー本体部３２に取付けられた装飾部材５０とを備えている。筒状壁部３１は、上記回転軸線Ｌに略平行となっている。カバー本体部３２は、上記筒状壁部３１を塞ぐのに必要な大きさよりも上下方向及び左右方向へ大きく形成されている。カバー本体部３２において、筒状壁部３１よりも左側部分及び右側部分には、各種スイッチＳ１，Ｓ２を配置するための孔３３及び切欠き３９が設けられている。これらの筒状壁部３１及びカバー本体部３２は、軟質樹脂等の軟質材料によって一体に形成されている。
【００３３】
カバー本体部３２には、エアバッグ２２の膨張圧が作用することにより破断される破断予定部であるティアライン３４が設けられている。ティアライン３４は、カバー本体部３２に対し、その前側から断面Ｖ字状等の溝を設けることによって形成されている。ティアライン３４では、カバー本体部３２の他の箇所よりも厚みが小さく、強度が低くなっており、エアバッグ２２の膨張圧により、カバー本体部３２がこのティアライン３４に沿って破断されるようになっている。
【００３４】
ティアライン３４は、カバー本体部３２の中心部を挟んで左右方向に互いに相対向する箇所において略上下方向へ延びる２本の縦ライン部３５と、略水平方向へ延びて両縦ライン部３５を繋ぐ横ライン部３６とによって構成されていて、運転者側から見た正面視で略Ｈ字状をなしている。カバー本体部３２において、エアバッグ２２の後方となる箇所は、このティアライン３４により上下一対の領域に仕切られている。これらの領域を区別するために、ここでは、横ライン部３６よりも上側に位置するものを「上側の領域３７」といい、同横ライン部３６よりも下側に位置するものを「下側の領域３８」というものとする。このティアライン３４に沿ってカバー本体部３２が破断されると、同カバー本体部３２には、前記上側の領域３７に対応した上側の扉部４１と、前記下側の領域３８に対応した下側の扉部４２とが形成される。ティアライン３４の破断により形成された上側の扉部４１は、上記両縦ライン部３５の上端部間を自身のヒンジ部４３として上側へ開くことが可能である。下側の扉部４２は、上記両縦ライン部３５の下端部間を自身のヒンジ部４４として下側へ開くことが可能である。
【００３５】
図５（Ａ）は図３のＹ部を拡大して示し、図５（Ｂ）は、同図５（Ａ）の段差凹部４５に装飾部材５０が固定される前の状態を示している。これらの図５（Ａ），（Ｂ）及び図６の少なくとも１つに示すように、カバー本体部３２の略中央部分であって、上記ティアライン３４の横ライン部３６を挟んで上下両領域３７，３８に跨る箇所には、正面視で横長の略楕円形状をなす段差凹部４５が設けられている。段差凹部４５は、カバー本体部３２の後ろ側（乗員側）の一般面４６から前方へ凹んでいる。この段差凹部４５の内底部４７において、上記上側の領域３７に属する複数箇所には、ピン挿通孔４８があけられている。同内底部４７において、下側の領域３８に属する箇所には、こうしたピン挿通孔４８はあけられていない。
【００３６】
装飾部材５０は、エアバッグ装置用カバー３０のカバー本体部３２、ひいてはステアリングホイール１２の外観品質（意匠性）を向上させるためのものであって、カバー本体部３２とは別部材によって構成されている。装飾部材５０は、前記段差凹部４５に対応して略楕円形の外形形状をなすリング部５１と、そのリング部５１内に配置された標章部５２とを備えている。標章部５２は、エンブレム、マーク等を表すものであり、リング部５１に対し複数箇所で繋がっている。これらのリング部５１及び標章部５２の主要部は、硬質樹脂によって形成されている。リング部５１及び標章部５２の各々について、少なくとも後ろ側の面はメッキ層５３によって被覆されていて、金属光沢を発している。本実施形態では、メッキ層５３は、リング部５１及び標章部５２の後ろ側の面にとどまらず、側面にも形成されている。
【００３７】
リング部５１及び標章部５２において、前記ピン挿通孔４８に対応する複数箇所からは、固定部としての溶着ピン５４が前方へ向けて突出している。そして、各溶着ピン５４が対応するピン挿通孔４８に後ろ側から挿通され、リング部５１及び標章部５２が段差凹部４５の内底部４７に接触させられている。この状態では、リング部５１及び標章部５２は、ティアライン３４の横ライン部３６を挟んだ上下両領域３７，３８に跨っている。表現を変えると、横ライン部３６のカバー本体部３２における位置が、正面視で装飾部材５０（リング部５１及び標章部５２）と重なる箇所に設定されている。また、リング部５１の外周側の側面（外側面５１Ｓ）が段差凹部４５の内側壁４５Ｓに接近していて、両者の間の隙間は僅かとなっている。
【００３８】
各溶着ピン５４において、上記ピン挿通孔４８への挿通により段差凹部４５から前方へ露出する部分は、超音波溶着法、振動溶着法等の溶着法によって溶着、すなわち溶融され、押し潰されて偏平となっている。この溶着により、装飾部材５０はカバー本体部３２にかしめ固定されている。上述したように、複数のピン挿通孔４８がいずれも上側の領域３７に設けられていることから、装飾部材５０は溶着ピン５４を通じて、正面視で同装飾部材５０と重なる領域３７，３８のうちの１つである上側の領域３７に対してのみ固定されている。装飾部材５０は下側の領域３８に対しては固定されておらず、フリーな状態となっている。
【００３９】
なお、上記カバー本体部３２とは異なり、装飾部材５０にはティアライン３４が設けられていない。
カバー本体部３２において、正面視で装飾部材５０と重なる領域３７，３８のうち、溶着ピン５４によって装飾部材５０が固定される上側の領域３７とは異なる領域、すなわち下側の領域３８には被係合部が設けられている。被係合部は、ここでは、段差凹部４５の内側壁４５Ｓの最下部に設けられた孔部４９によって構成されている。
【００４０】
装飾部材５０において、孔部４９に対応する箇所には、ティアライン３４の破断前には孔部４９に係合され、かつティアライン３４が破断されて扉部４１，４２が開くときには孔部４９から外れる係合部が設けられている。係合部は、装飾部材５０のリング部５１において、外周側の外側面５１Ｓの最下部から下方へ突出する突起５５によって構成されている。
【００４１】
突起５５が孔部４９に係合された状態では、こうした係合がなされない場合に比べ、装飾部材５０はカバー本体部３２に対しより強固に係止されていることとなる。
上記のようにして、本実施形態のステアリングホイール１２が構成されている。このステアリングホイール１２では、図３及び図４の少なくとも一方に示すように、前突等により、車両に対し前方から衝撃が加わらない通常時には、インフレータ２３からエアバッグ２２に膨張用ガスが供給されず、エアバッグ２２は折り畳まれた状態で、カバー本体部３２によって後ろ側から覆われ続ける。
【００４２】
また、装飾部材５０は、エアバッグ装置用カバー３０の意匠性を高めている。この装飾部材５０が、ティアライン３４によって仕切られた上下２つの領域３７，３８の両者に跨っていることから、ティアライン３４の横ライン部３６が正面視で装飾部材５０と重なっている。このため、装飾部材５０を正面視でティアライン３４に重ならせない場合には、ティアライン３４との関係で装飾部材５０の大きさや位置が大きく制約を受けるが、本実施形態では、そういった制約を受けにくくなり、ティアライン３４の位置を気にせずに装飾部材５０の大きさや位置を決定することが可能となる。正面視でティアライン３４に重ならせない場合に使用できなかった大きな装飾部材５０であっても、使用が可能となる。また、正面視でティアライン３４に重ならせない場合にできなかった配置であっても、本実施形態では配置が可能となる。
【００４３】
また、このときには、装飾部材５０の突起５５がカバー本体部３２の孔部４９に入り込むことにより、係合部の被係合部との係合がなされ、装飾部材５０において、孔部４９の設けられた下側の領域３８に対応する箇所（装飾部材５０の下部）がカバー本体部３２に係止される。この状態では、突起５５において孔部４９内に入り込んだ部分は、カバー本体部３２によって覆われた状態となり、後ろ側（運転者側）からは見えにくい。
【００４４】
特に、本実施形態では、装飾部材５０におけるリング部５１の外周側の外側面５１Ｓが段差凹部４５の内側壁４５Ｓに接近していて、外側面５１Ｓと内側壁４５Ｓとの間の隙間が僅かである。そのため、後ろ側（運転者側）からは、装飾部材５０の外側面５１Ｓから突出している突起５５のうち、段差凹部４５の内側壁４５Ｓの孔部４９に入り込んでいない部分も見えにくい。
【００４５】
そのため、突起５５を設けたことが原因で、エアバッグ装置用カバー３０の外観が低下することが起こりにくい。
また、装飾部材５０の上記下部は、カバー本体部３２との固定箇所である溶着ピン５４から遠ざかっているが、上記突起５５の孔部４９との係合により、同カバー本体部３２に接近又は当接した状態に保持される。余程大きな力が加わらない限り、カバー本体部３２から浮き上がることが起こりにくい。従って、例えば、乗員が興味本位で、装飾部材５０をカバー本体部３２から剥がそうとしても、装飾部材５０はカバー本体部３２から浮き上がりにくい。
【００４６】
また、本実施形態では、ティアライン３４がカバー本体部３２に設けられているに過ぎず、装飾部材５０には設けられていない。そのため、ティアライン３４に起因する「ひけ」が装飾部材５０の表面に生じ、装飾部材５０の外観が損なわれるおそれがない。これは、ティアライン３４形成のために仮に装飾部材５０に溝が設けられると、そのティアライン３４では、装飾部材５０の肉厚が変化することとなり、樹脂成形後の収縮差に起因して装飾部材５０の後ろ側の表面に「ひけ」が生ずるおそれがあるのに対し、本実施形態では、ティアライン３４に起因して肉厚の変化する箇所がないからである。この点において、本実施形態は、装飾部材にもティアラインが設けられる特許文献１及び特許文献２と大きく異なる。
【００４７】
上記の効果は、装飾部材５０の表面にメッキ層５３が形成された本実施形態では、特に有効である。すなわち、表面にメッキが施された装飾部材５０では、ひけがあると目立つ。これは、メッキにより装飾部材５０の表面が鏡面となり、その鏡面に写された像がひけにより歪むからである。この点、装飾部材５０にティアライン３４に起因するひけが生じにくい本実施形態では、装飾部材５０の表面の鏡面に写された像が歪むことが起こりにくい。
【００４８】
また、本実施形態では、特許文献１及び特許文献２とは異なり、ティアライン３４の端末部が装飾部材５０の側面で開口することがなく、この開口部分が運転者側から見えることがない。
【００４９】
前突等により車両に対し前方から衝撃が加わると、その衝撃に応じてインフレータ２３から膨張用ガスがエアバッグ２２に供給される。この膨張用ガスによりエアバッグ２２が膨張展開すると、そのエアバッグ２２の膨張圧がエアバッグ装置用カバー３０に作用する。この膨張圧によりカバー本体部３２がティアライン３４に沿って破断し、同カバー本体部３２には、ティアライン３４によって仕切られていた領域３７，３８に対応した上下一対の扉部４１，４２が形成される。この段階では、装飾部材５０の突起５５は段差凹部４５の孔部４９に入り込み（係合し）続ける。
【００５０】
上下の各扉部４１，４２は、ヒンジ部４３，４４を支点として、上下方向について互いに反対方向へ開く。この際、装飾部材５０は、上下一対の扉部４１，４２のうちの１つである上側の扉部４１に対してのみ固定されていて、下側の扉部４２には固定されていない。そのため、装飾部材５０が固定された上側の扉部４１は、図７において二点鎖線で示すように、その装飾部材５０を伴って上側へ開く。表現を変えると、装飾部材５０（突起５５を含む）は、上記のように開く上側の扉部４１に追従して上方へ移動する。この移動の途中で突起５５が孔部４９から抜け出ることにより、装飾部材５０のカバー本体部３２との上記係合が解除される。
【００５１】
従って、扉部４１，４２の開放時に突起５５が孔部４９に係合し続けると、それらの扉部４１，４２の開動作の妨げとなるが、本実施形態では、そのような現象が起こらず、上下両扉部４１，４２は、エアバッグ２２の膨張展開に伴い、予定したとおりにスムーズに開く。突起５５は、エアバッグ２２の膨張展開を阻害する要因とはなりにくい。
【００５２】
また、仮に、装飾部材５０が上側の扉部４１に対しても下側の扉部４２に対しても固定されている場合には、エアバッグ２２の高い膨張圧が加わって装飾部材５０が破断されるが、装飾部材５０が１つの扉部（上側の扉部４１）に対してのみ固定されている本実施形態では、高い膨張圧によって装飾部材５０が破断される現象が起こりにくい。従って、上側の扉部４１はヒンジ部４３を支点として上側へ開き、下側の扉部４２はヒンジ部４４を支点として下側へ開く。
【００５３】
上下の各扉部４１，４２が上記のように開くことで、それらの間に開口が生ずる。この開口を通じてエアバッグ２２が後方へ向けて意図した態様で膨張展開する。前突の衝撃により前傾しようとする運転者とステアリングホイール１２との間に、膨張展開したエアバッグ２２が介在することとなり、運転者の前傾が拘束されて、衝撃から保護される。
【００５４】
以上詳述した本実施形態によれば、次の効果が得られる。
（１）エアバッグ２２の膨張圧が作用することにより破断されるティアライン３４を、カバー本体部３２にのみ設けて、同カバー本体部３２の中央部近傍を上下２つの領域３７，３８に仕切る。このティアライン３４のカバー本体部３２における位置を、正面視で装飾部材５０と重なる箇所に設定する。さらに、装飾部材５０を、正面視で装飾部材５０と重なる領域３７，３８のうちの１つである上側の領域３７に対してのみ固定するようにしている（図３及び図６参照）。
【００５５】
そのため、装飾部材５０にティアライン３４を設けなくても、エアバッグ２２の展開性能を確保しつつ装飾部材５０の大型化に対応することができる。これに伴い、装飾部材５０及びティアライン３４の設計の自由度を増すことができる。装飾部材５０にティアライン３４が不要となるため、その分、装飾部材５０の製造コストを低く抑えることができる。
【００５６】
また、装飾部材５０にティアライン３４を設けることによる不具合である外観品質の低下も解消することができる。
（２）主要部が樹脂により形成され、かつ少なくとも後ろ側の表面にメッキ層５３が形成されたものを装飾部材５０としている（図６参照）。そのため、上記（１）の効果中、外観品質の低下を抑制する効果がより一層有効となる。
【００５７】
（３）カバー本体部３２において、正面視で装飾部材５０と重なる領域３７，３８のうち、溶着ピン５４によって装飾部材５０が固定される領域（上側の領域３７）とは異なる領域（下側の領域３８）に被係合部を設ける。装飾部材５０において、被係合部に対応する箇所に係合部を設けている（図６参照）。そのため、エアバッグ２２が膨張展開しない通常時には、装飾部材５０をカバー本体部３２に接近又は当接した状態に保持し、装飾部材５０がカバー本体部３２から浮き上がるのを抑制することができる。
【００５８】
（４）上記（３）中の被係合部として、カバー本体部３２に孔部４９を設ける一方、係合部として、装飾部材５０から突起５５を突出させ、この突起５５を孔部４９に入り込ませている（図５（Ａ）及び図６参照）。このため、突起５５の孔部４９内に入り込んだ部分を見えにくくし、突起５５を設けたことによるエアバッグ装置用カバー３０の外観低下を抑制することができる。
【００５９】
（５）カバー本体部３２に段差凹部４５を設け、装飾部材５０の外側面（リング部５１の外側面５１Ｓ）を同段差凹部４５の内側壁４５Ｓに接近させた状態で、同装飾部材５０を段差凹部４５内に配置する。孔部４９を内側壁４５Ｓに設け、突起５５を外側面５１Ｓに設けている（図５（Ａ），（Ｂ）及び図６参照）。そのため、運転者側からは、装飾部材５０の外側面５１Ｓから突出している突起５５のうち、孔部４９に入り込んでいない部分をも見えにくくし、エアバッグ装置用カバー３０の外観低下をより一層抑制することができる。
【００６０】
なお、本発明は次に示す別の実施形態に具体化することができる。
＜カバー本体部３２について＞
・ティアライン３４は、カバー本体部３２を縦方向、横方向等、任意の方向に破断するものであればよく、この条件を満たす範囲で、ティアライン３４を、上記実施形態とは異なる形状、例えば略Ｔ字状等に変更してもよい。
【００６１】
・ティアライン３４は、必ずしも溝のような連続したものでなくてもよく、１つ１つが線状又はドット状をなす凹部を、全体として線状をなすように断続的に設けたものであってもよい。
【００６２】
・ティアライン３４の断面形状を略Ｖ字状とは異なるもの、例えば略Ｕ字状、略矩形状等に変更してもよい。
・ティアライン３４は、カバー本体部３２を３つ以上の領域に仕切り、エアバッグ２２の膨張圧によって破断して、同領域と同数の扉部を形成するものであってもよい。この場合であっても、ティアライン３４のカバー本体部３２における位置を、正面視で装飾部材５０と重なる箇所に設定する。
【００６３】
・装飾部材５０において、正面視でティアライン３４が重なる箇所は、リング部５１のみであってもよい。
・カバー本体部３２がティアライン３４によって上下２つの領域３７，３８に仕切られる前記実施形態において、下側の領域３８を、溶着ピン５４によって装飾部材５０が固定される領域とし、上側の領域３７を、係合部の被係合部との係合によって装飾部材５０が係止される領域としてもよい。
【００６４】
＜装飾部材５０について＞
・装飾部材５０として、前記実施形態とは異なる形態を有するもの、例えば、表面にマークが刻設された飾り板を用いてもよい。
【００６５】
・装飾部材５０を複数の部品によって構成してもよい。例えば、装飾部材５０は、リング部５１と標章部５２とが互いに独立しているものであってもよい。
・メッキ層５３に代えて、装飾部材５０の表面に塗膜を形成してもよい。
【００６６】
・カバー本体部３２に段差凹部４５を設けず、そのカバー本体部３２の一般面４６に装飾部材５０を配置及び固定してもよい。
・上述した溶着ピン５４とは異なる構成の固定部を装飾部材５０に設け、この固定部によって装飾部材５０をカバー本体部３２に固定するようにしてもよい。また、装飾部材５０及びカバー本体部３２とは別部材を固定部として用い、この別部材によって装飾部材５０をカバー本体部３２に固定するようにしてもよい。
【００６７】
・カバー本体部３２がティアライン３４によって３つ以上の領域に仕切られる場合には、装飾部材５０を、正面視で２つ以上の領域に跨らせる。この場合には、固定部（溶着ピン５４）による装飾部材５０のカバー本体部３２に対する固定を、正面視で同装飾部材５０と重なる領域のうちの１つに対してのみ行う。
【００６８】
＜被係合部及び係合部について＞
・前記実施形態とは逆に、装飾部材５０に孔部４９を設けて、これを係合部とする。また、カバー本体部３２に突起５５を設けて、これを被係合部としてもよい。
【００６９】
・突起５５を孔部４９に入り込ませる態様とは異なる態様の被係合部及び係合部によって、装飾部材５０をカバー本体部３２に係合させるようにしてもよい。
・係合部と被係合部との組み合わせを複数設けてもよい。ただし、係合部を目立たないようにする観点からは、こうした係合部と被係合部との組み合わせの数は少ない方が望ましい。
【００７０】
・カバー本体部３２がティアライン３４によって３つ以上の領域に仕切られる場合には、カバー本体部３２において、正面視で装飾部材５０と重なる領域のうち同装飾部材５０が固定される領域とは異なる領域の少なくとも１つに被係合部を設ける。そして、装飾部材５０において、上記被係合部に対応する箇所に係合部を設ける。
【００７１】
・溶着ピン５４による固定だけで、装飾部材５０をカバー本体部３２（段差凹部４５）から浮き上がらないようにすることができる場合には、被係合部及び係合部を省略してもよい。
【００７２】
＜その他＞
・本発明のエアバッグ装置用カバーは、車両に限らず、航空機、船舶等の他の乗り物における操舵装置のステアリングホイールに適用することもできる。この場合、車両には、自家用車に限らず各種産業車両も含まれる。
【００７３】
・本発明は、運転席の乗員（運転者）を衝撃から保護するエアバッグ装置が設けられたステアリングホイールに限らず、助手席のエアバッグ装置用のカバーや、サイドエアバッグ装置用のカバー等にも適用可能である。
【符号の説明】
【００７４】
２０…エアバッグ装置、２２…エアバッグ、３０…エアバッグ装置用カバー、３２…カバー本体部、３４…ティアライン、３７，３８…領域、４１，４２…扉部、４５…段差凹部、４５Ｓ…内側壁、４６…一般面、４９…孔部（被係合部）、５０…装飾部材、５１Ｓ…外側面、５４…溶着ピン（固定部）、５５…突起（係合部）。
【図１】
2011105059.tif 000003
【図２】
2011105059.tif 000004
【図３】
2011105059.tif 000005
【図４】
2011105059.tif 000006
【図５】
2011105059.tif 000007
【図６】
2011105059.tif 000008
【図７】
2011105059.tif 000009